(57)【要約】【課題】傾動部の一側に突出部を容易に設置できる。【解決手段】コネクタ１０では、ケース１２の下面２０の後側にリテーナ２６が傾動可能に一体形成されている。ここで、リブ３４が、リテーナ２６に一体形成されて、リテーナ２６の前側に突出されている。このため、ケース１２の下面２０にリテーナ２６の前側においてリブ３４を容易に設置できる。【選択図】図１
2020115408.tif 000002
【特許請求の範囲】
【請求項１】
対向面が設けられ、一側から相手側コネクタに接続されることで前記対向面が前記相手側コネクタに対向されるケースと、
前記ケースに前記対向面の他側において一体に設けられ、前記対向面側の傾倒位置に配置されると共に、前記対向面とは反対側の起立位置に傾動可能にされる傾動部と、
前記傾動部に一体に設けられると共に、前記傾動部の一側に突出され、前記相手側コネクタの凹部に挿入されて前記ケースの前記相手側コネクタとの接続が許可される突出部と、
を備えるコネクタ。
【請求項２】
前記突出部が前記傾動部の一側に延伸される請求項１に記載のコネクタ。
【請求項３】
前記突出部に突出されて設けられる係合突部と、
前記ケースに前記対向面の周囲において設けられ、前記係合突部が係合されて前記傾動部が前記ケースに係止される係合凹部と、
を備える請求項１又は請求項２に記載のコネクタ。
【発明の詳細な説明】
【技術分野】
【０００１】
本発明は、ケースに傾動部が一体に設けられるコネクタに関する。
【背景技術】
【０００２】
特許文献１のコネクタでは、コネクタハウジングの上面に後側においてリテーナが一体に形成されており、リテーナが係止位置に配置されて、リテーナの係止部が端子金具の抜止めをする。また、リテーナが係止解除位置に傾動可能にされる。
【先行技術文献】
【特許文献】
【０００３】
【特許文献１】特開２００１−３３２３３３号公報
【発明の概要】
【発明が解決しようとする課題】
【０００４】
ところで、このようなコネクタでは、コネクタハウジングにリブを一体形成すると共に、接続相手側のソケットに切欠き部を形成することで、リブが切欠き部に挿入されて、コネクタハウジングのソケットへの接続が許可される。このため、コネクタハウジングが間違ったソケットに接続されること（所謂誤結）が防止される。
【０００５】
しかしながら、コネクタハウジングの上面にリテーナの前側においてリブを一体形成することは、コネクタハウジングを成形する金型を前側に抜くことが困難であるため、困難である。
【０００６】
本発明は、上記事実を鑑みて成されたものであり、傾動部の一側に突出部を容易に設置できるコネクタを提供することを目的とする。
【課題を解決するための手段】
【０００７】
上記目的を達成する本発明の第１の態様のコネクタは、対向面が設けられ、一側から相手側コネクタに接続されることで前記対向面が前記相手側コネクタに対向されるケースと、前記ケースに前記対向面の他側において一体に設けられ、前記対向面側の傾倒位置に配置されると共に、前記対向面とは反対側の起立位置に傾動可能にされる傾動部と、前記傾動部に一体に設けられると共に、前記傾動部の一側に突出され、前記相手側コネクタの凹部に挿入されて前記ケースの前記相手側コネクタとの接続が許可される突出部と、を備える。
【０００８】
第２の態様のコネクタは、第１の態様において、前記突出部が前記傾動部の一側に延伸される。
【０００９】
第３の態様のコネクタは、第１の態様又は第２の態様において、前記突出部に突出されて設けられる係合突部と、前記ケースに前記対向面の周囲において設けられ、前記係合突部が係合されて前記傾動部が前記ケースに係止される係合凹部と、を備える。
【発明の効果】
【００１０】
第１の態様のコネクタでは、ケースが一側から相手側コネクタに接続されることで、ケースの対向面が相手側コネクタに対向される。さらに、ケースに対向面の他側において傾動部が一体に設けられており、傾動部が、対向面側の傾倒位置に配置されると共に、対向面とは反対側の起立位置に傾動可能にされる。
【００１１】
また、ケースの突出部が相手側コネクタの凹部に挿入されて、ケースの相手側コネクタとの接続が許可される。
【００１２】
ここで、突出部が、傾動部に一体に設けられて、傾動部の一側に突出される。このため、傾動部の一側に突出部を容易に設置できる。
【００１３】
第２の態様のコネクタでは、突出部が傾動部の一側に延伸される。このため、突出部を相手側コネクタの凹部に容易に挿入できる。
【００１４】
第３の態様のコネクタでは、突出部に係合突部が突出されて設けられると共に、ケースに対向面の周囲において係合凹部が設けられており、係合突部が係合凹部に係合されて、傾動部がケースに係止される。このため、傾動部をケースに容易に係止できる。
【図面の簡単な説明】
【００１５】
【図１】（Ａ）及び（Ｂ）は、それぞれ本実施形態に係るコネクタを示す斜視図である。
【図２】ソケットの主要部を示す斜視図である。
【図３】（Ａ）及び（Ｂ）は、それぞれコネクタにおけるリテーナの離間位置及び接触位置を示す側面図である。
【発明を実施するための形態】
【００１６】
以下、図面を参照して本発明の実施形態について詳細に説明する。
本実施形態では、コネクタ１０を例に説明する。なお、以下の説明において、コネクタ１０の前側（一側）を矢印ＦＲ、コネクタ１０の後側（他側）を矢印ＲＥ、コネクタ１０の上側を矢印ＵＰ、コネクタ１０の下側を矢印ＤＮ、コネクタ１０の右側を矢印ＨＲにて示している。なお、これらの方向は、本実施形態において便宜上設定した方向であって、コネクタ１０が用いられる車両などの各種装置等における各方向に一致するとは限らない。本実施形態のコネクタ１０は、例えば上側が上方に向けられ前側が装着部（相手側コネクタ）に向けられて、前側から装着部に組付けられる。
【００１７】
図１（Ａ）には、コネクタ１０が前斜め右下側から見た斜視図にて示され、図１（Ｂ）には、コネクタ１０が後斜め右下側から見た斜視図にて示され、図２には、コネクタ１０が装着されるソケット４４の主要部が斜視図にて示されている。また、図３（Ａ）及び図３（Ｂ）には、コネクタ１０の主要部が右側から見た側面図にて示されている。
【００１８】
図１及び図３に示すように、本実施形態に係るコネクタ１０は、略矩形箱状のケース１２を備えており、ケース１２は、合成樹脂材料により一体成形されて形成されている。ケース１２は、前側が間口面１４、後側が後面１６とされ、左右方向両側が側面（図１及び図３では、右側の側面１８を図示）とされていると共に、下側が対向面としての下面２０とされている。ケース１２の間口面１４及び後面１６は、各々左右方向に長い略矩形状とされている。
【００１９】
図１に示すように、ケース１２には、挿入孔としての端子孔２２が複数形成されている。端子孔２２は、ケース１２の左右方向に複数（本実施形態では、６個）等間隔で配列されている。また、端子孔２２は、各々ケース１２に前後方向において貫通されており、端子孔２２は、ケース１２の間口面１４及び後面１６の各々の下面２０側において開口されている。なお、端子孔２２は、上下方向に複数段（例えば２段）配置されて、各段において左右方向に配列されてもよい。
【００２０】
ケース１２の端子孔２２には、一部又は前部に接続端子（図示省略）が挿入されている。接続端子は、例えば金属製（導電性）の略筒状とされ、長手方向基端部に電気配線の先端部が電気的に接合されている。接続端子は、端子孔２２の後側の開口から挿入され、長手方向先端がケース１２内の所定位置まで挿入されている。また、接続端子に接続された電気配線は、端子孔２２の後側の開口から引出されている。
【００２１】
図１及び図３に示すように、ケース１２の下面２０の後側には、段部２４が設けられており、段部２４の前端には、所定の段差が形成されている。段部２４は、下方視略矩形とされており、下側面が下面２０と略平行な平坦面とされている。
【００２２】
また、ケース１２の下面２０には、リテーナ２６が設けられており、リテーナ２６は、合成樹脂製の矩形略板状とされている。リテーナ２６は、後端部が段部２４の前端に連結されており、リテーナ２６は、段部２４と一体とされて、ケース１２に一体形成にされている。
【００２３】
また、リテーナ２６の段部２４との連結部分（境界部分）は、軸部としてのヒンジ部２８とされており、リテーナ２６は、ヒンジ部２８を軸に傾動可能とされている。これにより、リテーナ２６は、上側の内面２６Ａが下面２０から離間した離間位置（起立位置、図１（Ａ）及び図３（Ａ）参照）と、内面２６Ａが下面２０に接触する接触位置（傾倒位置、図１（Ｂ）及び図３（Ｂ）参照）との間で傾動可能にされている。
【００２４】
リテーナ２６は、接触位置に傾動されることで、内面２６Ａが下面２０に面接触されると共に、下側面が段部２４の下側面と略面一とされる。なお、図１（Ａ）及び図３（Ａ）では、リテーナ２６の離間位置が示され、図１（Ｂ）及び図３（Ｂ）には、リテーナ２６の接触位置が示されている。
【００２５】
リテーナ２６の内面２６Ａには、略台形形状の係合部３０が複数（本実施形態では６個）突出形成されており、係合部３０は、ケース１２内の端子孔２２の各々に対応されて、左右方向に等間隔で配置されている。また、ケース１２の下面２０には、係合部３０の各々が挿入可能とされた挿入部３２（図１（Ａ）参照）が開口されており、挿入部３２の各々は、ケース１２内において端子孔２２の各々の長手方向中間部に連通されている。係合部３０は、リテーナ２６が接触位置に配置されることで、挿入部３２に挿入されて端子孔２２内に突出される（図示省略）。
【００２６】
コネクタ１０では、リテーナ２６の接触位置が、端子孔２２内に挿入された接続端子の係止位置とされている。これにより、接続端子は、端子孔２２内に突出された係合部３０によって係止されて、端子孔２２からの引出しが制限される（ケース１２内に保持される）。
【００２７】
また、コネクタ１０では、リテーナ２６の離間位置が端子孔２２内に挿入された接続端子の係止解除位置とされており、リテーナ２６が離間位置に傾動されることで、係合部３０が挿入部３２から引出されて、接続端子の係合部３０による係止が解除される。これにより、リテーナ２６の離間位置（係止解除位置）では、端子孔２２への接続端子の挿入及び引出しが可能になっている。
【００２８】
一方、図１及び図３に示すように、リテーナ２６には、突出部としての断面略矩形かつ外形略棒状のリブ３４が一体に形成されている。リブ３４は、ケース１２の左右方向の所定位置（本実施形態では、中間位置）において、リテーナ２６からヒンジ部２８とは反対側に延伸されて、左右方向に垂直に配置されている。リブ３４は、下面２０側の面がリテーナ２６の内面２６Ａと面一になるように形成されており、リブ３４は、リテーナ２６が接触位置に配置されることで、下面２０に面接触される。
【００２９】
また、リブ３４は、リテーナ２６の接触位置において延伸先端部がケース１２の間口面１４に達する長さ（間口面１４から僅かに突出する長さでもよい）にされており、リブ３４の延伸先端部には、係合突部としての係合爪３６が形成されている。係合爪３６は、リブ３４の延伸先端部から上側に突出されていると共に、先端部が後側に突出されている。
【００３０】
また、ケース１２の間口面１４の下面２０側部分には、係合凹部としての係止部３８（図１（Ａ）参照）が形成されており、係止部３８は、リブ３４の係合爪３６に対応されて、ケース１２の左右方向の所定位置（中間位置）に形成されている。係止部３８は、下側部分が前側かつ下側に開口されると共に、上側部分が前側に開口されかつ後側に演出されている。このため、リテーナ２６が接触位置に配置された際、リブ３４の係合爪３６が一時的な弾性変形により係止部３８に嵌込まれて係合されることで、リテーナ２６は、ケース１２に係止されて傾動が制限され、下面２０への接触位置に保持される。
【００３１】
また、ケース１２の上側には、複数の突部４０（図１（Ａ）参照）が形成されており、突部４０の各々は、ケース１２の後部を除く部分において前後方向に延設されている。本実施形態では、突部４０としてケース１２の右側に突部４０Ａが形成されていると共に、ケース１２の左右方向中間部において所定間隔で離間された突部４０Ｂ、４０Ｃが形成されている。なお、本実施形態では、突部４０をケース１２の上側に形成するが、突部４０は、側面１８などのケース１２の左右方向両側に形成されてもよく、少なくともケース１２の上側及び左右方向両側の何れかに形成されたものであればよい。
【００３２】
突部４０Ａは、断面略矩形状とされて側面１８に沿って突出されており、ケース１２は、突部４０Ａによって右側の側面１８が左側の側面よりも上下方向に長くされている。また、突部４０Ｂ、４０Ｃは、各々断面略矩形状とされている。さらに、ケース１２の上側には、突部４０Ｂ、４０Ｃの間に係合手段を構成するロックレバー（図示省略）が形成されている。
【００３３】
一方、図２に示すように、コネクタ１０は、相手側コネクタ（装着部）としてのソケット４４に組付けられる（接続される）。ソケット４４は、有底略筒状とされており、ソケット４４は、内部に形成された挿入部４６が、コネクタ１０側となる取付面４６Ａに形成された挿入口４８において後側に開口されている。ソケット４４の挿入口４８は、ケース１２の間口面１４に対応された略矩形状とされている。
【００３４】
ソケット４４の底部には、複数の電極端子（電極ピン）５０が配置されている。電極端子５０は、ケース１２の複数の端子孔２２に対応されており、電極端子５０は、左右方向に等間隔に配置されると共に、ソケット４４の底部から挿入口４８（後側）に向けて立設されている。これにより、ソケット４４の挿入部４６にコネクタ１０のケース１２が挿入された際には、電極端子５０の各々が間口面１４側からケース１２の端子孔２２の各々に挿通されて、電極端子５０の各々が端子孔２２内の接続端子に電気的に接続される。
【００３５】
ソケット４４の挿入口４８には、複数の切込み部５２が形成されている。本実施形態においては、切込み部５２として切込み部５２Ａ、５２Ｂ、５２Ｃが設けられており、切込み部５２Ａ、５２Ｂ、５２Ｃは、各々ケース１２の突部４０Ａ、４０Ｂ、４０Ｃに対応された位置及び開口形状とされている。また、ソケット４４の挿入部４６には、切込み部５２Ａ〜５２Ｃの各々底部に向けて延伸された空間が形成されている。
【００３６】
これにより、コネクタ１０は、ソケット４４の挿入口４８にケース１２が挿入される際、ケース１２の突部４０Ａ、４０Ｂ、４０Ｃが各々切込み部５２Ａ、５２Ｂ、５２Ｃに嵌入されることで、ケース１２がソケット４４に挿入可能になる。
【００３７】
また、ソケット４４の挿入口４８には、ケース１２の下面２０に対応する周縁部に凹部としての切込み部５４が形成されている。切込み部５４は、ケース１２の左右方向の中間位置のリブ３４に対応された位置において略矩形状に開口され、ソケット４４の内面を底部へ向けて延伸された溝状に形成されている。
【００３８】
これにより、ソケット４４の挿入口４８にケース１２が挿入される際、ケース１２の下面２０のリブ３４が切込み部５４に嵌入されることで、ケース１２がソケット４４に挿入可能になる。
【００３９】
さらに、ソケット４４には、ケース１２の下面２０に対応する内面に段差部５６が形成されており、挿入部４６は、段差部５６によって内面開口高さ（ケース１２の上下方向の高さ）が狭められている。このため、ケース１２は、挿入部４６に挿入された際、間口面１４の周縁部（下面２０側の周縁部）が段差部５６に当接することで、挿入部４６への挿入が停止される。ケース１２の間口面１４がソケット４４の段差部５６に当接する位置は、ケース１２のリテーナ２６の前端がソケット４４の取付面４６Ａに近接された位置（直近となる位置）とされている。このため、ケース１２は、リテーナ２６が挿入口４８に挿入されるのが制限される。
【００４０】
上記構成のコネクタ１０のケース１２には、下面２０にリテーナ２６が設けられており、リテーナ２６は、下面２０への接触位置と下面２０から離間した離間位置との間で傾動可能になっている。コネクタ１０では、リテーナ２６が離間位置に傾動されることで、ケース１２の端子孔２２の各々に接続端子が挿通及び引抜き可能となる。
【００４１】
また、リテーナ２６の内面２６Ａには、係合部３０が形成されており、リテーナ２６がケース１２の下面２０に接触する接触位置に配置されることで、係合部３０が挿入部３２に挿入されて、端子孔２２内に突出される。このため、コネクタ１０では、ケース１２の端子孔２２に挿入されて所定位置に配置された接続端子に係合部３０が係合し、接続端子が係合部３０に係止される。これにより、コネクタ１０では、ケース１２の端子孔２２内において接続端子の各々が保持されて、ケース１２に接続端子が装着状態にされる。
【００４２】
コネクタ１０は、ケース１２が間口面１４側からソケット４４の挿入口４８に挿入され、ケース１２の間口面１４がソケット４４の段差部５６に当接されることで、ロックレバーがソケット４４内部に係合し、ケース１２がソケット４４に保持される。
【００４３】
また、ソケット４４に保持されたケース１２では、ソケット４４内の電極端子５０が間口面１４側から端子孔２２の各々に挿入されて、電極端子５０が接続端子の各々に電気的に接続される。これにより、コネクタ１０は、ケース１２がソケット４４に組付けられる。
【００４４】
ケース１２には、下面２０を除く面（上側の面）に突部４０Ａ〜４０Ｃが設けられており、ケース１２は、突部４０Ａ〜４０Ｃが各々ソケット４４の切込み部５２Ａ〜５２Ｃに嵌入されることで、挿入口４８に挿入可能になる。すなわち、ケース１２は、キーとなる突部４０Ａ〜４０Ｃと、キー溝となるソケット４４の切込み部５２Ａ〜５２Ｃの各々の形状、位置等が一致した場合に、ソケット４４に挿入可能になり、突部４０Ａ〜４０Ｃは、ソケット４４へのケース１２の装填を制限する。
【００４５】
このため、ケース１２は、下面２０を除く面に形成された１つ又は複数の突部４０の形状、数及び位置の組合せによって、組付け可能なソケット４４が特定される。これにより、コネクタ１０では、下面２０を除く面に形成する突部４０によって、複数のケース１２の各々をケース１２ごと定められたソケット４４に装着する際、ケース１２とソケット４４との組合せを間違える誤結を防止できる。
【００４６】
ここで、ケース１２では、リテーナ２６が配置されている下面２０にリブ３４が形成されている。このため、ケース１２は、キーとなるリブ３４がキー溝となるソケット４４の挿入口４８の切込み部５４に嵌合した場合に、挿入口４８からソケット４４内に挿入可能となる。
【００４７】
これにより、ケース１２は、リブ３４によってソケット４４への装填が制限される。すなわち、ケース１２は、下面２０以外の面に設けた突部４０に加えて、下面２０のリブ３４がキーとなって、これらのキーの各々と一致するキー溝となる切込み部５２、５４が設けられたソケット４４のみに挿入可能となる。
【００４８】
コネクタ１０は、下面２０を除く面に形成する突部４０に加え、下面２０に設けたリブ３４によって、ケース１２とソケット４４との組合せの数を増やすことができるので、複数のケース１２の各々をケース１２ごと定められたソケット４４に装着する際、ケース１２とソケット４４との組合せを間違える誤結をより効果的に防止できる。
【００４９】
したがって、ケース１２では、下面２０とは異なる側（面）に設けられる突部４０の組合せに、リブ３４の組合せが加わるので、キーとなる突部の組合せの数がさらに増えるので、ケース１２とソケット４４との組合せの数をより多くできる。
【００５０】
さらに、リブ３４の先端部には、係合爪３６が形成されており、係合爪３６は、リテーナ２６が接触位置に傾動されることで、ケース１２の間口面１４の係止部３８に係止される。このため、ケース１２では、リブ３４がケース１２から外れて、リテーナ２６が離間位置に傾動してしまうのを制限できる。しかも、ケース１２がソケット４４に装着された状態では、リブ３４が切込み部５４に嵌入して、ケース１２の下面２０から離れるのが防止されるので、ソケット４４に組付けられたケース１２において、リテーナ２６が接触位置から回動（傾動）するのを防止できる。これにより、ソケット４４に装着されたケース１２から接続端子が外れてしまうのを防止できて、電極端子５０と接続端子との電気的接続状態を確実に維持できる。
【００５１】
一方、リテーナ２６にリブ３４を形成せずにケース１２を合成樹脂により成形する場合、金型の抜き方向は、例えば、ケース１２の前側、ケース１２の後側及び離間位置に傾動された状態におけるリテーナ２６の表面に沿いかつヒンジ部２８から離れる方向の三方向とすることができる。
【００５２】
ここで、ケース１２の下面２０にリテーナ２６とは別に、キーとなる突部（リブ３４に相当する突部）を一体成形するためには、突部のリテーナ側を途中で止める必要があり、このためには、金型及び金型の抜き方向が複雑になる。
【００５３】
これに対して、ケース１２では、リテーナ２６の表面に沿いかつヒンジ部２８から離れる方向にリブ３４が延伸されている。このため、ケース１２では、リテーナ２６にリブ３４が設けられても、リテーナ２６の表面に沿いかつヒンジ部２８から離れる方向に型抜きできるので、ケース１２は、リテーナ２６にリブ３４が設けられていても、合成樹脂材料による一体成形を容易にできる。
【００５４】
したがって、コネクタ１０は、ケース１２においてリテーナ２６が形成される下面２０にも、誤結を防止するためのキーとなる突部を容易に形成でき、キーとなる突部の組合せを増やすことができるので、コネクタ１０（ケース１２）の数が増えても組付け間違いを防止できる。しかも、ケース１２の下面２０にリブ３４を設けるために金型が複雑な形状になるのを抑制できるので、キーとなる突部の組合せを増やしても、ケース１２を成形するための金型のコスト上昇を抑制できて、ケース１２の製品コストが上昇するのを抑制できる。
【００５５】
なお、以上説明した本実施形態では、ケース１２の左右方向の中間位置に１本のリブ３４を形成した。しかしながら、突出部のケース左右方向の位置、形状及び数はこれに限るものでなく、例えば、突出部の位置は、ケース左右方向の片側部分や両側部分の各々などであってもよい。
【００５６】
また、本実施形態では、断面略矩形棒状のリブ３４を形成するように説明した。しかしながら、突出部は、断面外形が略半円状であってもよく、突出部は、ケースの左右方向に長い長尺略矩形断面の平板状であってもよい。
【００５７】
さらに、本実施形態では、リテーナ２６を、内面２６Ａがケース１２の下面２０に接触するようにした。しかしながら、リテーナは、下側面がケースの下面と略面一になるように形成されてもよい。この場合、突出部は、リテーナの下側面から突出するように形成されればよい。
【００５８】
また、本実施形態では、リブ３４をケース１２の間口面１４に達する長さとした。しかしながら、突出部の長さは、ケースの間口面に達しない長さであってもよい。この場合、ソケット（相手側コネクタ）に形成される切込み部のケース挿入方向の長さを、ケースの間口面から突出部の先端までの長さに応じて短くするなどの形状とすればよい。
【符号の説明】
【００５９】
１０・・・コネクタ、１２・・・ケース、１４・・・間口面、２０・・・下面（対向面）、２２・・・端子孔、２６・・・リテーナ（傾動部）、２８・・・ヒンジ部、３４・・・リブ（突出部）、３６・・・係合爪、３８・・・係止部（係合凹部）、４４・・・ソケット（相手側コネクタ）。
【図１】
2020115408.tif 000003
【図２】
2020115408.tif 000004
【図３】
2020115408.tif 000005